(57)【要約】  【課題】床面の状況や脚体各部の強度などに対応させて、脚体毎に接地体の床面に対する相対的な接地圧を調整することができる家具を提供する。  【解決手段】家具本体である天板１と、この天板１を支持する脚体２とを具備してなり、前記脚体２に、対をなす第１の接地体８と、これら第１の接地体８間に位置する少なくとも１つの第２の接地体９とが略直列に設けられており、前記第１の接地体８と前記第２の接地体９との少なくとも一方を高さ調節可能なものにする構成を採用する。【選択図】図５
2019072375.tif 000002
【特許請求の範囲】
【請求項１】
家具本体と、この家具本体を支持する脚体とを具備してなり、
前記脚体に、対をなす第１の接地体と、これら第１の接地体間に位置する少なくとも１つの第２の接地体とが略直列に設けられており、前記第１の接地体と前記第２の接地体との少なくとも一方を高さ調節可能なものにしている家具。
【請求項２】
前記脚体が、前記家具本体を担持するコア部と、このコア部から外方に延出する脚羽根とを備えたものであり、前記脚羽根の延出端部に前記第１の接地体が設けられているとともに、前記コア部に前記第２の接地体が設けられている請求項１記載の家具。
【請求項３】
前記コア部と前記脚羽根とが別体である請求項１又は２記載の家具。
【請求項４】
前記脚体が、前記家具本体を担持するコア部と、このコア部から外方に延出する脚羽根とを備えたものであり、前記第１の接地体が主に床面に接地するとともに、前記第２の接地体が前記脚羽根のたわみに起因して床面に接地する態様を採れるように前記接地体の高さ調整範囲が設定されている請求項１、２又は３記載の家具。
【請求項５】
前記第１の接地体が床面に接地するとともに、前記第２の接地体が床面から浮き上がる態様を採れるように前記接地体の高さ調整範囲が設定されている請求項１、２又は３記載の家具。
【発明の詳細な説明】
【技術分野】
【０００１】
本発明は、高さ調節可能な接地体を有する家具に関する。
【背景技術】
【０００２】
従来、この種の家具として、脚体にアジャスタ等と称される高さ調節可能な接地体を設けたものが知られている（例えば、非特許文献１参照）。
【０００３】
ところで、従来のものは、各脚体の両端部に一対の接地体が設けられている。そのため、接地体の高さ調節機能は、専ら家具の傾斜を是正したりガタツキを防止したりするためだけに使用されている。すなわち、従来のものは脚体毎に接地体の接地圧を相対的に調整することができない。そのため、家具の傾きを矯正するための接地体の高さ調節と、接地圧を相対調整するための接地体の高さ調節とを整合させて所望の結果を得るのが難しいという課題がある（第１の課題）。
【０００４】
また、コア部の両側に脚羽根を有した脚体に注目した場合、次のような課題も指摘されている。従来この種の脚体は、前記両脚羽根の先端部にだけ接地体が設けられている。そのため、家具の全重量に起因する荷重や上載荷重等がすべて前記接地体を介して集中的に床面に作用することになる。その結果、前記脚羽根に大きな曲げ応力が作用することになり、前記脚羽根をそれなりに強度のあるものにせざるを得ない。したがって、脚体の軽量化や脚羽根とコア部との別体化等を図るのが難しく、設計の自由度に制限を受けるという課題がある（第２の課題）。
【先行技術文献】
【非特許文献】
【０００５】
【非特許文献１】コクヨ総合カタログ２０１７年版ファニチャー編，コクヨ株式会社，平成２８年１２月，ｐ．３４５
【発明の概要】
【発明が解決しようとする課題】
【０００６】
本発明は、このような事情に着目してなされたもので、請求項１に係る発明は、少なくとも前記第１の課題を解消すること、すなわち、床面の状況や脚体各部の強度などに対応させて、脚体毎に接地体の床面に対する相対的な接地圧を調整することができる家具を提供することを目的としている。
【０００７】
また、請求項２に係る発明は、前記第１の課題に加え、前記第２の課題をも解消することができる家具を提供することを目的としている。
【課題を解決するための手段】
【０００８】
請求項１記載の発明に係る家具は、家具本体と、この家具本体を支持する脚体とを具備してなり、前記脚体に、対をなす第１の接地体と、これら第１の接地体間に位置する少なくとも１つの第２の接地体とが略直列に設けられており、前記第１の接地体と前記第２の接地体との少なくとも一方を高さ調節可能なものにしているものである。
【０００９】
請求項２記載の発明に係る家具は、請求項１記載の構成のものにおいて、前記家具本体を担持するコア部と、このコア部から外方に延出する脚羽根とを備えたものであり、前記脚羽根の延出端部に前記第１の接地体が設けられているとともに、前記コア部に前記第２の接地体が設けられているものである。
【００１０】
請求項３記載の発明に係る家具は、請求項１又は２記載の構成のものにおいて、前記コア部と前記脚羽根とが別体であるものである。
【００１１】
請求項４記載の発明に係る家具は、請求項１、２又は３記載の構成のものにおいて、前記脚体が、前記家具本体を担持するコア部と、このコア部から外方に延出する脚羽根とを備えたものであり、前記第１の接地体が主に床面に接地するとともに、前記第２の接地体が前記脚羽根のたわみに起因して床面に接地する態様を採れるように前記接地体の高さ調整範囲が設定されているものである。
【００１２】
請求項５記載の発明に係る家具は、請求項１、２又は３記載の構成のものにおいて、前記第１の接地体が床面に接地するとともに、前記第２の接地体が床面から浮き上がる態様を採れるように前記接地体の高さ調整範囲が設定されているものである。
【発明の効果】
【００１３】
請求項１の発明によれば、前記第１の課題を解決できる。すなわち、床面の状況や脚体各部の強度などに対応させて、脚体毎に接地体の床面に対する相対的な接地圧を調整することができる家具を提供することができるという効果が得られる。
【００１４】
また、請求項２の発明によれば、前記第１の課題に加えて、前記第２の課題も解決できる。すなわち、上述した効果に加えて、コア部の両側に脚羽根を有した脚体において、脚体の軽量化を実現する、脚体を薄くして意匠的な外観を整える、脚羽根とコア部との別体化等を図る等、設計の自由度を高めることができるという効果が得られる。
【図面の簡単な説明】
【００１５】
【図１】本発明の第一実施形態に係るテーブルを示す斜視図。
【図２】同実施形態に係るテーブルを示す部分斜視図。
【図３】同実施形態に係るテーブルの脚体を示す斜視図。
【図４】同実施形態に係るテーブルの脚体を示す分解斜視図。
【図５】同実施形態に係るテーブルの脚体の要部を示す図。
【図６】同実施形態に係るテーブルの脚体の接地状態を示す作用説明図。
【図７】同実施形態に係るテーブルの脚体の接地状態を示す作用説明図。
【図８】同実施形態に係るテーブルの脚体の接地状態を示す作用説明図。
【図９】同実施形態に係るテーブルの脚体の接地状態を示す作用説明図。
【図１０】本発明の第二実施形態に係るテーブルの脚体を示す図。
【図１１】本発明の第三実施形態に係るテーブルの脚体を示す図。
【発明を実施するための形態】
【００１６】
本発明の第一実施形態を、図面を参照しつつ以下に示す。
【００１７】
本実施形態は、本発明を家具であるテーブルＴ１に適用したものであり、図１は、前記テーブルＴ１の斜視図、図２は、同テーブルＴ１を下側から観察した部分斜視図である。図３は、同テーブルＴ１の脚体２を示す斜視図、図４は、同脚体２の分解斜視図、図５の（ａ）は、同脚体２の底面図、図５の（ｂ）は、図５の（ａ）におけるＡ−Ａ線に対応する部分断面図である。図６〜図９は、脚体２の接地状態を示す作用説明図である。
【００１８】
詳述すれば、このテーブルＴ１は、家具本体である天板１と、この天板１を支持する脚体２とを具備してなる。
【００１９】
前記天板１は、図２に示すように、天板本体３と、前記天板本体３を下面側から支持する支持フレーム４とを備えたものであり、この天板本体３の長手方向両端部を本発明に係る脚体２により支持するとともに、長手方向中央部を中間脚体５により支持している。前記天板本体３は、平板状のもので、奥行方向両端を使用端としている。前記支持フレーム４は、図２に示すように、天板本体３の使用端に沿って長手方向に延びる対をなす縦フレーム部材４１と、これら縦フレーム部材４１の長手方向両端部同士を連結する第１の横フレーム部材４２と、前記縦フレーム部材４１の長手方向中央部同士を連結する第２の横フレーム部材４３とを備えている。そして、前記各第１の横フレーム部材４２の下側に前記脚体２を配しているとともに、前記第２の横フレーム部材４３の下側に前記中間脚体５を配している。
【００２０】
前記脚体２は、図１〜図３及び図５に示すように、前記天板１を担持するコア部６と、このコア部６とは別体をなし基端側が前記コア部６の起立した外側端面６ａに取着された脚羽根７とを備えたものである。
【００２１】
前記コア部６は、汎用部材を用いて作られた壁体状をなす構造体である。具体的には、このコア部６は、図２及び図４に示すように、平行に起立した対をなす縦パイプ６１と、これら縦パイプ６１の下端近傍部同士を結合する横パイプ６２と、これら縦パイプ６１及び横パイプ６２を隠蔽するカバー６３とを具備してなる。前記縦パイプ６１は、汎用部品である角型パイプ部材を所定の長さに切断したもので、その上端部及び下端部に上下のナット６１１、６１２が溶接等によりそれぞれ固設されている。前記横パイプ６２は、汎用部品である角型パイプ部材を所定の長さに切断した上で、その両端に取付用のフランジ６２１を溶接等により固設したものであり、このフランジ６２１及び前記縦パイプ６１にネジ挿通孔６２１ｘ、６１ｘがそれぞれ設けられている。そして、これらのネジ挿通孔６２１ｘ、６１ｘに内側から挿通したネジｖ２を前記脚羽根７の基端部に形成された雌ネジ孔７ｘに螺着している。また、このコア部６の縦パイプ６１の上端に設けた前記上のナット６１１に螺着されるネジｖ１により、この縦パイプ６１の上端にブラケット６４と前記横フレーム部材４２とが共締め固定されている。このブラケット６４の両端部にはネジ挿通孔６４ｘが設けられており、このネジ挿通孔６４ｘに下側から挿通させた図示しないネジを天板本体３の図示しない埋設ナットに螺着することにより当該コア部６と前記天板本体３とが接続されている。加えて、前記両縦パイプ６１の下端部外面すなわち当該コア部６の起立した外側端面６ａには、前記脚羽根７を取り付けるための嵌合孔６１ｙが穿設されている。一方、前記カバー６３は、汎用部材である板金素材を所定の形態に打ち抜くとともに両側縁を折り曲げ加工することにより作られたものである。
【００２２】
前記脚羽根７は、金型を用いて成形された成形体、具体的には、例えばアルミダイキャスト製のものであり、図４及び図５に示すように、基端部７ａに前記コア部６の外側端面６ａにスペーサ７０を介して当接する平坦面７１とこの平坦面７１の所定部位に突設され前記スペーサ７０を貫通して前記コア部６の嵌合孔６１ｙに嵌合する位置決め突起７２とを備えている。この脚羽根７は、前記基端部７ａから片持ち的に外方に延出する形態をなすもので、その延出端部すなわち先端部７ｂの下面に接地体取り付け用の雌ネジ孔７ｙが形成されている。符号７３は、前記縦パイプ６１の外側面を被覆する化粧板であり、この化粧板７３の外面７３ａと前記脚羽根７の基端部７ａの外面７ａ１とは連続した形態をなしている。
【００２３】
前記中間脚体５は、以上説明した脚体２から脚羽根７を取り除いた構造をなすものであり、コア部６の両端には前記化粧板７３及び脚羽根７に代えて別の化粧板６９が装着されている。
【００２４】
以上説明した脚体２の両脚羽根７の先端側に高さ調節可能な第１の接地体８がそれぞれ設けられているとともに、前記コア部６の縦パイプ６１の下端部に高さ調節可能な第２の接地体９がそれぞれ設けられている。図５の（ａ）に示すように、これら第１及び第２の接地体８、９はその中心が共通の仮想直線Ｌ０上又はその近傍に位置するように略直列に配されている。具体的には、各接地体８、９は、外周にグリップ部を有する円盤状の接地体本体８１、９１と、この接地体本体８１、９１の中心部から上方に延出するネジ棒８２、９２とを備えたもので、第１の接地体８のネジ棒８２は各脚羽根７の先端部７ｂの下面に設けられた前記雌ネジ孔７ｙに螺合進退可能に螺着されているとともに、第２の接地体９のネジ棒９２は各コア部６の縦パイプ６１の下端部に設けられた前記下のナット６１２に螺合進退可能に螺着されている。
【００２５】
前記第１及び第２の接地体８、９の高さ調整範囲は、第１の接地体８が床面Ｆに接地するとともに第２の接地体９が床面Ｆから離間している状態から、第１の接地体８が床面Ｆから離間し第２の接地体９が床面Ｆに接地する状態をとり得るような値に設定されている。従って、この設定によれば、全ての接地体８、９が床面Ｆに接地する態様もとることができる。また、前記第１の接地体８が主に床面Ｆに接地するとともに、前記第２の接地体９が前記脚羽根７のたわみに起因して床面Ｆに比較的軽く接地する態様や、前記第１の接地体８が床面Ｆに接地するとともに、前記第２の接地体９が床面Ｆから浮き上がる態様も採ることができる。
【００２６】
このような構成のものであれば、まず、前記両脚体２の第１の接地体８だけを床面Ｆに接地させた上でこれら第１の接地体８の高さ調節によりテーブルＴ１の傾き、換言すれば天板１の水平度などを調整し、しかる後に、これら第１の接地体８が床面Ｆから浮き上がらない範囲で前記第２の接地体９の高さ調節によりこれら第２の接地体９を床面に徐々に押し付ける。そのようにすれば、最初に調節したテーブルＴ１の姿勢を維持しつつ、第１の接地体８の床面Ｆへの接地圧を低減させることができ、全ての接地体８、９により荷重を分散して床面Ｆに作用させることができる。
【００２７】
なお、床面の水平度が高度に維持されている場合等には、図６に示されるように、両第１の接地体８を特定の高さ位置に設定しておくとともに、第２の接地体９を脚羽根７のたわみを考慮した所定微小距離ｄだけ第１の接地体８よりも床面Ｆから離れた位置に退避させておき、そのままテーブルＴ１全体を床面Ｆ上に設置すればよい。このようにすれば、図７に示すように、第１の接地体８が床面Ｆに接地するとともに、脚羽根７自体や脚羽根７とコア部６との接続部分のたわみ等により前記第２の接地体９も床面Ｆに接地することになり、全ての接地体８、９により荷重を分散して床面Ｆに作用させることができる。加えて、テーブルＴ１全体を床面Ｆ上に設置した状態において、上方から荷重がかかっていない、換言すれば脚体２がテーブルＴ１の自重以外の荷重を受けていない場合には第２の接地体９が床面Ｆから離間し、テーブルＴ１に上方から人や天板１上に載置された荷物等による外的な荷重が加えられた場合には脚羽根７自体や脚羽根７とコア部６との接続部分のたわみ等により前記第２の接地体９も床面Ｆに接地するように設定してもよい。この場合も、前記第２の接地体９が床面Ｆに接地することにより第１の接地体８に加わる荷重を減少させ、脚羽根７への負荷を減少させることができる。
【００２８】
また、脚羽根７の軽量化を最重要視しない場合や、家具（テーブルＴ１）自体の重量が過大でない場合には、図８に示すように、前記第１の接地体８が床面Ｆに接地するとともに、前記第２の接地体９が床面Ｆから浮き上がる態様を採ることももちろん可能である。この態様では、最も遠い第１の接地体８のみにより荷重を集中的に床面に作用させることができるため、安定した設置が可能となる。
【００２９】
さらに、図９に示すように、家具（テーブルＴ１）を床面Ｆ上に設置したままで脚羽根７を取り換える必要が生じた場合等に備えて第２の接地体９のみを接地させ、第１の接地体８が床面Ｆから離間した状態にすることもできる。
【００３０】
このように、前記接地体８、９の高さを調節することにより、床面Ｆの多様な不陸に対応することができるとともに、荷重を分散して床面Ｆに加える設定や、荷重を特定の接地体を介して集中的に床面Ｆに加える設定を自在に選択することができる。換言すれば、床面Ｆの状況や脚体２各部の強度などに対応させて、脚体２毎に接地体８、９の床面Ｆに対する相対的な接地圧を調整することができる家具を提供することができる。
【００３１】
なお、本発明は、天板付き家具に限らず、高さ調節可能な接地体を有する家具全般に適用が可能である。
【００３２】
また、脚体は、以上説明した実施形態のものに限らず、例えば、図１０に示すように、コア部と脚羽根とを一体に形成したものや、図１１に示すように、全体が壁体状をなすものであってもよい。ここで、図１０の（ａ）は、本発明の第二実施形態に係る脚体２の底面図、図１０の（ｂ）は、図１０の（ａ）におけるＢ−Ｂ線に対応する部分断面図である。図１１の（ａ）は、本発明の第三実施形態に係る脚体２の底面図、図１１の（ｂ）は、図１１の（ａ）におけるＣ−Ｃ線に対応する部分断面図である。なお、前記第二及び第三実施形態における家具は、脚体以外前述した第一実施形態と同様の構成を有するので、第一実施形態と同一又は相当する部分には同一の符号を付して説明を省略する。
【００３３】
さらに詳述すると、図１０に示す脚体２は、天板を担持するコア部６と、このコア部６と一体に形成された脚羽根７とを備えたものである。より具体的には、前記コア部６の下端近傍部から前記脚羽根７が奥行き方向両側にそれぞれ延出している。そして、前記両脚羽根７の先端部７ｂの下面に第１の接地体８がそれぞれ設けられているとともに、前記コア部６の両端部の下面に第２の接地体９がそれぞれ設けられている。前記第１及び第２の接地体８、９は、前述した第一実施形態のものと同様の構成を有しており、これも第一実施形態と同様に、第１及び第２の接地体８、９の中心が共通の仮想直線Ｌ１上又はその近傍に位置するように略直列に配されている。
【００３４】
一方、図１１に示す脚体２は、全体が壁体状をなし、下面における奥行き方向（長手方向）両端部に対をなす第１の接地体８がそれぞれ設けられているとともに、奥行き方向（長手方向）中間部に対をなす第２の接地体９がそれぞれ設けられている。前記第１及び第２の接地体８、９は、前述した第一実施形態のものと同様の構成を有しており、これも第一実施形態と同様に、第１及び第２の接地体８、９の中心が共通の仮想直線Ｌ２上又はその近傍に位置するように略直列に配されている。なお、この脚体２は、全体として前後対称な形状を有している。
【００３５】
これらの構成によっても、上述した第一実施形態の構成による最も主要な効果、すなわち、前記接地体８、９の高さを調節することにより、床面Ｆの多様な不陸に対応することができるとともに、荷重を分散して床面Ｆに加える設定や、荷重を特定の接地体を介して集中的に床面Ｆに加える設定を自在に選択することができるという効果を得ることができる。
【００３６】
但し、上述した第一実施形態のように、脚体がコア部と脚羽根とを有し、これらコア部と脚羽根とを別体としたものであれば、脚羽根をそのまま使用し、コア部を寸法形状の異なったものにするだけで、異なった形態の脚体を実現することができる。例えば、脚羽根をそのまま使用しつつ、コア部の奥行き寸法を変更することで、奥行き寸法の異なる脚体を実現することができる。よって、脚羽根という主要な構成部品の共通化を図りつつ、種々の仕様に対応することができる。さらに、コア部の両側に脚羽根を有した脚体において、脚体の軽量化を図る、脚体を薄くして意匠的な外観を整える、脚羽根とコア部との別体化等を図る等、設計の自由度を高めることもできる。特に、前記コア部が汎用部材である角型パイプ部材を主体として構成された構造体であれば、奥行寸法の異なるものを比較的容易に取りそろえることができる。一方、前記脚羽根は、奥行寸法の異なる種々の脚体に対して同じものを用いることができ、当該脚羽根を成形するための金型は一種類のもので対応することができる。従って、多種類の脚体を比較的容易に製造することが可能となる。換言すれば、成形体である脚羽根を変更するには新たな型が必要になるが、汎用部材を用いて作られるコア部は、比較的容易に種々の形状寸法のものを製作することができる。そのため、全体としては形状や寸法の異なる種々の脚体を複数の型を用意することなく製作することができる。
【００３７】
さらに、第２の接地体は１つでもよく、３つ以上設けられるものであってもよい。
【００３８】
加えて、第１及び第２の接地体の高さ調整範囲は、上述した実施形態のようなものに限らず、本発明の趣旨を損ねない範囲で任意に設定してよい。但し、上述した各実施形態のように、脚体が、家具本体を担持するコア部と、このコア部から外方に延出する脚羽根とを備えたものであり、前記脚羽根の先端部に設けた前記第１の接地体が主に床面に接地するとともに、前記コア部に設けた前記第２の接地体が前記脚羽根のたわみに起因して床面に接地する態様を採れるように前記接地体の高さ調整範囲が設定されているものであれば、脚羽根に作用する曲げ応力を軽減することができ、当該脚羽根を可及的に細く軽量なものにすることができる。また、これも上述した各実施形態のように、前記第１の接地体が床面に接地するとともに、前記第２の接地体が床面から浮き上がる態様を採れるように前記接地体の高さ調整範囲が設定されているものであれば、大きな荷重が作用した場合にのみ第２の接地体を接地させ、通常は互いに最も大きく離間した第１の接地体のみが設置するように設定することも可能であり、このような家具の安定した設置が可能となる。
【００３９】
そして、上述した実施形態では、第１、第２の接地体の全てを高さ調節可能にしているが、例えば、第１の接地体の一方だけを高さ調整不能なものにし、他の第１の接地体及び第２の接地体を高さ調整可能にする等、本発明の趣旨を損ねない範囲で種々変形が可能である。
【符号の説明】
【００４０】
Ｔ１…家具（テーブル）
１…家具本体（天板）
２…脚体
６…コア部
７…脚羽根
７ｂ…脚羽根の延出端部（先端部）
８…第１の接地体
９…第２の接地体
Ｆ…床面
【図１】
2019072375.tif 000003
【図２】
2019072375.tif 000004
【図３】
2019072375.tif 000005
【図４】
2019072375.tif 000006
【図５】
2019072375.tif 000007
【図６】
2019072375.tif 000008
【図７】
2019072375.tif 000009
【図８】
2019072375.tif 000010
【図９】
2019072375.tif 000011
【図１０】
2019072375.tif 000012
【図１１】
2019072375.tif 000013